(57)【要約】【課題】エッジボードが基板用コネクタに装着されない場合であっても、基板用コネクタが配置されるマザーボードの機能に影響を及ぼさないこと。【解決手段】エッジボード１８が本体部１０に装着されない場合、本体部１０の接続端収容部１０Ａに相対向して配されるコンタクト端子１６ａｉの接点部１６ａｆ，１６ｂｆが、それぞれ、互いに当接するもの。【選択図】図６
2008123793.tif 000002
【特許請求の範囲】
【請求項１】
一端部に電気的に接続される電極群が設けられるエッジボードの該一端部を着脱可能に収容する接続端収容部と、
前記接続端収容部内に相対向して配され、前記エッジボードの該電極群を一対の接点部で選択的に挟持し該電極群を、該エッジボードに形成される回路に接続される回路を有する配線基板に対し電気的に接続するコンタクト端子群と、を備え、
前記エッジボードの一端部が前記接続端収容部に装着されない場合、前記配線基板の回路が機能するように前記コンタクト端子群における一対の接点部が互いに当接することを特徴とする基板用コネクタ。
【請求項２】
前記コンタクト端子群における一対の接点部の形状が、それぞれ、円弧状、平坦状に形成されることを特徴とする請求項１記載の基板用コネクタ。
【発明の詳細な説明】
【技術分野】
【０００１】
本発明は、エッジボードを配線基板に対し電気的に接続する基板用コネクタに関する。
【背景技術】
【０００２】
電子機器内に実装されるエッジボードは、例えば、特許文献３にも示されるように、一端部における片面あるいは両面に、端子群（電極群）を有し、例えば、カードエッジコネクタを介してマザーボード等に対し電気的に接続されている。このようなカードエッジコネクタは、例えば、特許文献１にも示されるように、エッジボードの端子群が着脱されるスロットを有する基台部と、スロットの内周部に配されエッジボードの端子群との電気的接続を行うコンタクト端子群と、を主な要素として含んで構成されている。
【０００３】
また、相対向するコンタクト端子列相互間における各接点部間の隙間を適正に維持する隙間調整用の仕切壁がスロット内に設けられている。隙間調整用の仕切壁は、例えば、特許文献２にも示されるように、エッジボードがスロットに挿入されていないとき、コンタクト端子列相互間におけるにおける一対の接点部の相互間に所定の隙間が生じるように設けられている。従って、そのような仕切壁は、相対向するコンタクト端子列からなるコンタクト端子群において、エッジボードの一端を保持する圧力を適正に確保するとともに、エッジボードのカードエッジコネクタに対する着脱操作を容易とする。また、隙間調整用の仕切壁は、基台部における相対向するコンタクト端子列の一対の接点部が互いに所定以上近接あるいは離隔しないように全コンタクト端子群の弾性変位量を規制している。
【０００４】
【特許文献１】特開２００２−２３７３４０号公報
【特許文献２】特公昭６１−６５１１号公報
【特許文献３】特開２００２−３４０６０号公報
【発明の開示】
【発明が解決しようとする課題】
【０００５】
上述のようなエッジボードが、例えば、上述の特許文献３にも示されるような、電話回線を含むネットワークにおける通信用フィルターを含むエッジボード（特許文献３においては、スプリッター基盤と呼ばれる）である場合、例えば、通信用フィルターの保守または交換が行なわれるとき、即ち、そのエッジボードがスロットに挿入されていないとき、コンタクト端子列相互間におけるにおける一対の接点部が導通していないのでマザーボードにおける通信用制御回路等は、開状態となり全く機能しない。従って、マザーボードにおける通信用システムの通信状態を維持しながら、そのようなエッジボードの保守または交換が不可能となる。
【０００６】
しかしながら、ネットワークにおける電子機器によっては、通信機能を完全に停止させることが不都合なものがあり、そのような電子機器の使用者においては、エッジボードの保守または交換中においても、ノイズの影響が及ぶことがあっても電子機器における通信機能だけが少なくとも維持されることが要望される。
【０００７】
以上の問題点を考慮し、本発明は、エッジボードを配線基板に対し電気的に接続する基板用コネクタであって、エッジボードが基板用コネクタに装着されない場合であっても、基板用コネクタが配置されるマザーボードの機能に影響を及ぼさない基板用コネクタを提供することを目的とする。
【課題を解決するための手段】
【０００８】
上述の目的を達成するために、本発明に係る基板用コネクタは、一端部に電気的に接続される電極群が設けられるエッジボードの該一端部を着脱可能に収容する接続端収容部と、接続端収容部内に相対向して配され、エッジボードの電極群を一対の接点部で選択的に挟持し電極群を、エッジボードに形成される回路に接続される回路を有する配線基板に対し電気的に接続するコンタクト端子群と、を備え、エッジボードの一端部が接続端収容部に装着されない場合、配線基板の回路が機能するようにコンタクト端子群における一対の接点部が互いに当接することを特徴とする。
【発明の効果】
【０００９】
以上の説明から明らかなように、本発明に係る基板用コネクタによれば、エッジボードの一端部が接続端収容部に装着されない場合、配線基板の回路が機能するようにコンタクト端子群における一対の接点部が互いに当接するのでエッジボードが基板用コネクタに装着されない場合であっても、基板用コネクタが配置されるマザーボードの機能に影響を及ぼさない。
【発明を実施するための最良の形態】
【００１０】
図４および図５は、それぞれ、本発明に係る基板用コネクタの一例の外観を、それが電気的に接続されるマザーボードとともに示す。
【００１１】
図４および図５において、基板用コネクタは、例えば、電子機器等に内蔵されるマザーボードＰＢ上に複数個固定されている。なお、図４および図５においては、代表して１個の基板用コネクタを示す。
【００１２】
基板用コネクタは、エッジボード１８（図７参照）の一端を収容する本体部１０と、本体部１０に配されエッジボード１８のコンタクトパッドをマザーボードＰＢの導電層に電気的に接続するコンタクト端子１６ａｉ（ｉ＝１〜８）と、エッジボード１８の一端を選択的に本体部１０に対し保持するラッチ機構としてのフック部材１２Ａおよび１２Ｂと、を含んで構成されている。
【００１３】
マザーボードＰＢは、例えば、後述するエッジボード１８の内部に形成される所定の回路と直列に接続される回路網を有している。
【００１４】
複数個のエッジボード１８は、例えば、図７に示されるように、ネットワークシステムにおいて使用される通信用フィルターを含むエッジボード（ＤＳＬ用スプリッター基盤）とされている。エッジボード１８は、モジュール本体部１０Ｂと、モジュール本体部１０Ｂを基板用コネクタに接続する接続端部１８Ｃとを含んで構成されている。
エッジボード１８の接続端部１８Ｃは、コンタクトパッド群１８ｐａを相対向する表面にそれぞれ有している。
【００１５】
各コンタクトパッド群１８ｐａは、後述するコンタクト端子１６ａｉの配列に対応して
互いに同一の所定の間隔で４つのコンタクトパッドを幅方向に沿って有している。
【００１６】
接続端部１８Ｃの両側面部には、それぞれ、後述するフック部材１２Ａおよび１２Ｂの係止端１２ｋが選択的に係合される切欠部１８ｋが形成されている。
【００１７】
本体部１０の底部の外面には、マザーボードＰＢにおける複数の孔にそれぞれ嵌合される位置決めピン１０Ｐが所定の間隔をもって突出している。
【００１８】
本体部１０の中央部には、図５および図６に示されるように、矢印の示す方向に沿って着脱されるエッジボード１８の接続端部１８Ｃを収容する接続端収容部１０Ａが貫通して形成されている。接続端収容部１０Ａを形成する両側壁には、エッジボード１８の接続端部１８Ｃのコンタクトパッド群１８ｐａを後述するコンタクト端子１６ａｉの接点部に対して位置決めする切欠部１０Ｅが形成されている。切欠部１０Ｅは、図９に示されるように、エッジボード１８の接続端部１８Ｃの先端部の一部を受け止めるものとされる。
【００１９】
また、接続端収容部１０Ａの内周部には、図５に示されるように、後述するコンタクト端子１６ａｉの固定部がそれぞれ圧入される溝が、紙面に対し垂直方向に沿って複数個形成されている。それらの溝は、接続端収容部１０Ａを形成する長辺側の壁部に、コンタクトパッド群１８ｐａに対応した所定の間隔で相対向して形成されている。隣接する溝の相互間は、仕切壁により仕切られている。
【００２０】
また、接続端収容部１０Ａを形成する長辺側の壁部には、後述するフック部材１２Ａおよび１２Ｂをそれぞれ回動可能に支持するピン部材１４が挿入される一対の透孔が相対向して形成されている。ピン部材１４の両端部は、その透孔に圧入され支持されている。
【００２１】
フック部材１２Ａおよび１２Ｂは、互いに同一の構造を有するのでフック部材１２Ａについて説明し、フック部材１２Ｂについての説明を省略する。
【００２２】
フック部材１２Ａは、操作される操作部１２ａと、ピン部材１４が挿入される透孔を有する基部１２ｂと、操作部１２ａと基部１２ｂとを連結する連結部とを含んで構成されている。操作部１２ａの一端には、上述のエッジボード１８の切欠部１８Ｃに選択的に係合されエッジボード１８を本体部１０に対し保持する係止端１２ｋが突出している。係止端１２ｋは、連結部に対して略垂直となるように形成されている。
【００２３】
基部１２ｂの一端には、エッジボード１８の接続端部１８Ｃの先端部に係合される突起１２ｅが形成されている。これにより、フック部材１２Ａの操作部１２ａおよびフック部材１２Ｂの操作部１２ａがそれぞれ、図４の矢印の示す方向、即ち、互いに離隔する方向に回動せしめられる場合、エッジボード１８の接続端部１８Ｃが、突起１２ｅにより押し上げられるのでエッジボード１８の接続端部１８Ｃが容易に接続端収容部１０Ａから取り外されることとなる。
【００２４】
接続端収容部１０Ａ内に配されるコンタクト端子１６ａｉ（ｉ＝１〜８）は、図１乃至図３に示されるように、マザーボードＰＢに固定される半田付け固定端子１６Ｓと、エッジボード１８のコンタクトパッド群１８ｐａに電気的に接続される接点部１６ａｆ，１６ｂｆを有する可動片部１６Ｂと、半田付け固定端子１６Ｓと可動片部１６Ｂとを結合する固定部１６Ｆとを含んで構成されている。
【００２５】
固定部１６Ｆは、図６に示されるように、接続端収容部１０Ａを形成する壁部における溝に圧入されている。その際、相対向する一方のコンタクト端子１６ａｉの接点部１６ａｆが、他方のコンタクト端子１６ａｉの接点部１６ｂｆに互いに当接するように配置されている。
【００２６】
半田付け固定端子１６Ｓは、マザーボードＰＢの表面に対して略垂直に配され、半田付固定によりマザーボードＰＢの導電層に対し固定されている。これにより、コンタクト端子１６ａｉがマザーボードＰＢに電気的に接続されることとなる。
【００２７】
弾性変位可能な可動片部１６Ｂは、二点接触方式とされ、互いに略平行に延びる分岐部１６ａおよび１６ｂから構成されている。図３に示されるように、分岐部１６ａおよび１６ｂの先端は、それぞれ、下方に向けて折れ曲がっている。分岐部１６ａおよび１６ｂの基端部は、それぞれ、固定部１６Ｆに合流するように固定部１６Ｆに連結されている。分岐部１６ａおよび１６ｂは、それぞれ、折曲部に接点部１６ａｆ，１６ｂｆを有している。略円弧状の接点部１６ａｆの面積は、略平坦状の接点部１６ｂｆの面積に比して小に設定されている。また、接点部１６ｂｆは、対向する接点部１６ａｆが安全かつ確実に接触するように平坦面を有している。
【００２８】
斯かる構成において、エッジボード１８の接続端部１８Ｃが本体部１０の接続端収容部１０Ａに装着され、コンタクトパッド群１８ｐａが電気的にコンタクト端子１６ａｉの接点部１６ａｆ，１６ｂｆに電気的に接続されるにあたっては、先ず、フック部材１２Ａおよび１２Ｂの操作部１２ａが一旦、互いに離隔する方向に回動せしめられた後、エッジボード１８の接続端部１８Ｃが図７の矢印の示す方向に沿って接点部１６ａｆ，１６ｂｆ相互間に挿入されることにより、図８および図９に示されるように、接続端部１８Ｃの先端部の一部が切欠部１０Ｅに係合され、位置決めされることとなる。なお、コンタクト端子１６ａｉの数量（８個）が比較的少ないのでエッジボード１８が接点部１６ａｆ，１６ｂｆ相互間に容易に挿入可能とされる。
【００２９】
また、フック部材１２Ａおよび１２Ｂの係止端１２ｋが、その直後、互いに近接し切欠部１８Ｃに係合されることにより、エッジボード１８が本体部１０に対し保持されることとなる。
【００３０】
一方、保持されたエッジボード１８が本体部１０から取り外される場合にあっては、
先ず、フック部材１２Ａおよび１２Ｂの係止端１２ｋが切欠部１８Ｃに対し離隔するように各操作部１２ａが回動されることによって、突起１２ｅがエッジボード１８の接続端部１８Ｃを押し上げることにより、コンタクトパッド群１８ｐａが接点部１６ａｆ，１６ｂｆに対し離隔するように摺接される。従って、エッジボード１８が容易に取外されることとなる。その際、図６に示されるように、接点部１６ａｆと，接点部１６ｂｆとが互いに当接するのでマザーボードＰＢに形成される回路がオープン状態となることがない。従って、エッジボード１８の交換作業中においても、マザーボードＰＢの回路は、機能することとなるので例えば、使用者が使用中においても通信機能が完全に停止することがない。その際、ネットワークシステムにおける電話回線において、１個のエッジボード１８が接続されないのでその通信速度によっては電話の音声やデータの送受信に対しノイズの影響を与える虞があるが、上述したように通信機能が完全に停止することはない。
【００３１】
コンタクト端子は、上述のコンタクト端子１６ａｉに限られることなく、例えば、図１０および図１２にそれぞれ示される一点接触方式のコンタクト端子２０ａｉ、および、３０ａｉが一対のコンタクト端子として相対向して接続端収容部１０Ａに配されても良い。
【００３２】
コンタクト端子２０ａｉ（ｉ＝１〜８）は、図１０および図１１に示されるように、マザーボードＰＢに固定される半田付け固定端子２０Ｓと、エッジボード１８のコンタクトパッド群１８ｐａに電気的に接続される接点部２０ｂｆを有する可動片部２０Ｂと、半田付け固定端子２０Ｓと可動片部２０Ｂとを結合する固定部２０Ｆとを含んで構成されている。
【００３３】
固定部２０Ｆは、接続端収容部１０Ａを形成する壁部における溝に圧入される。その際、コンタクト端子２０ａｉの接点部２０ｂｆが、相対向するコンタクト端子３０ａｉの接点部３０ｂｆに互いに当接するように配置される。
【００３４】
半田付け固定端子２０Ｓは、マザーボードＰＢの表面に対して略垂直に配され、半田付固定によりマザーボードＰＢの導電層に対し固定されている。これにより、コンタクト端子２０ａｉがマザーボードＰＢに電気的に接続されることとなる。
【００３５】
弾性変位可能な可動片部２０Ｂの先端は、下方に向けて折れ曲がる折曲部に接点部２０ｂｆを有している。また、接点部２０ｂｆは、対向する接点部３０ｂｆが安全かつ確実に接触するように平坦面を有している。
【００３６】
コンタクト端子３０ａｉ（ｉ＝１〜８）は、図１２および図１３に示されるように、マザーボードＰＢに固定される半田付け固定端子３０Ｓと、エッジボード１８のコンタクトパッド群１８ｐａに電気的に接続される接点部３０ｂｆを有する可動片部３０Ｂと、半田付け固定端子３０Ｓと可動片部３０Ｂとを結合する固定部３０Ｆとを含んで構成されている。
【００３７】
固定部３０Ｆは、接続端収容部１０Ａを形成する壁部における溝に圧入される。半田付け固定端子３０Ｓは、マザーボードＰＢの表面に対して略垂直に配され、半田付固定によりマザーボードＰＢの導電層に対し固定されている。これにより、コンタクト端子３０ａｉがマザーボードＰＢに電気的に接続されることとなる。
【００３８】
弾性変位可能な可動片部３０Ｂの先端は、下方に向けて折れ曲がる折曲部に接点部３０ｂｆを有している。また、円弧状の接点部３０ｂｆの面積は、対向する接点部３０ｂｆの面積に比して小に設定されている。
【図面の簡単な説明】
【００３９】
【図１】本発明に係る基板用コネクタの一例に用いられるコンタクト端子の一例を示す斜視図である。
【図２】図１に示される例における平面図である。
【図３】図１に示される例における正面図である。
【図４】本発明に係る基板用コネクタの一例を示す正面図である。
【図５】図４に示される例における平面図である。
【図６】図４におけるＶＩ−ＶＩ線に沿って示される部分断面図である。
【図７】図４に示される例においてエッジボードが装着された状態を示す正面図である。
【図８】図７に示される例における平面図である。
【図９】図７におけるＩＸ−ＩＸ線に沿って示される部分断面図である。
【図１０】本発明に係る基板用コネクタの一例に用いられるコンタクト端子の他の一例を示す斜視図である。
【図１１】図１０に示される例における正面図である。
【図１２】本発明に係る基板用コネクタの一例に用いられるコンタクト端子の他の一例を示す斜視図である。
【図１３】図１２に示される例における正面図である。
【符号の説明】
【００４０】
１０    本体部
１０Ａ    接続端収容部
１６ａｉ，２０ａｉ，３０ａｉ    コンタクト端子
１６ａｆ，１６ｂｆ    接点部
１８    エッジボード
１８Ｃ    接続端部
１８ｐａ    コンタクトパッド群
ＰＢ    マザーボード
【図１】
2008123793.tif 000003
【図２】
2008123793.tif 000004
【図３】
2008123793.tif 000005
【図４】
2008123793.tif 000006
【図５】
2008123793.tif 000007
【図６】
2008123793.tif 000008
【図７】
2008123793.tif 000009
【図８】
2008123793.tif 000010
【図９】
2008123793.tif 000011
【図１０】
2008123793.tif 000012
【図１１】
2008123793.tif 000013
【図１２】
2008123793.tif 000014
【図１３】
2008123793.tif 000015